(57)【特許請求の範囲】
【請求項１】
平面視で矩形状を有し、第１の辺に沿って延びる第１空気吹出口（１４Ａ）及び第２の辺に沿って延びる第２空気吹出口（１４Ｂ）を有し、天井に設置されるケーシング（１１）と、
上下方向に向く回転軸（Ｃ）を有し、室内の空気を前記ケーシング（１１）内に取り込んでその空気を前記第１空気吹出口（１４Ａ）及び第２空気吹出口（１４Ｂ）に送る送風機（１３）と、
前記送風機（１３）と第１空気吹出口（１４Ａ）及び第２空気吹出口（１４Ｂ）との間に設けられ、第１空気吹出口（１４Ａ）及び第２空気吹出口（１４Ｂ）に沿って延びる部位を有する熱交換器（１２）と、
前記送風機（１３）と、前記熱交換器（１２）における前記第１空気吹出口（１４Ａ）に沿う部分（１２Ａ）との間に設けられ、前記送風機（１３）から前記熱交換器（１２）に向けて送られる空気の一部を前記第１空気吹出口（１４Ａ）に案内する案内面（７４）を有する案内板（７０）と、を備え、
前記第１空気吹出口（１４Ａ）は、前記第２空気吹出口（１４Ｂ）よりも空気抵抗が大きい空気吹出口であり、
前記案内板（７０）は、前記送風機（１３）から前記熱交換器（１２）に向かう気流の上流側に位置する前縁（７１）と、前記気流の下流側に位置する後縁（７２）と、を有し、
前記後縁（７２）と前記熱交換器（１２）との間には、隙間（Ｇ１）が設けられており、
前記第１空気吹出口（１４Ａ）の延びる第１方向（Ｄ１）において、前記後縁（７２）は、前記第１空気吹出口（１４Ａ）における回転方向（Ｒ）側の第１側縁部（１４１）よりも内側に位置し、
平面視において、前記第１方向（Ｄ１）に直交して前記回転軸（Ｃ）を通る直線（Ｌ２）と、前記回転軸（Ｃ）と前記第１側縁部（１４１）とを通る直線（Ｌ３）とを引いたとき、前記案内板（７０）は、これらの直線（Ｌ２）と直線（Ｌ３）とにより囲まれる範囲内に設けられ、且つ、前記第１方向（Ｄ１）に直交して前記回転軸（Ｃ）を通る前記直線（Ｌ２）よりも前記回転軸（Ｃ）と前記第１側縁部（１４１）とを通る前記直線（Ｌ３）寄りに配置されている室内機。
【請求項２】
前記案内面（７４）は、前記前縁（７１）と前記後縁（７２）の間に位置し、前記送風機（１３）の回転方向（Ｒ）に凹む形状を有し、
前記案内板（７０）は、前記案内面（７４）の反対側の面であり、前記回転方向（Ｒ）に凸の形状を有する背面（７３）を有する、請求項１に記載の室内機。
【請求項３】
平面視で前記案内板（７０）における後縁（７２）から前記第１空気吹出口（１４Ａ）側に延長した延長線（Ｅ）は、前記第１空気吹出口（１４Ａ）の第１側縁部（１４１）よりも内側に位置している、請求項１又は２に記載の室内機。
【請求項４】
前記第１空気吹出口（１４Ａ）及び第２空気吹出口（１４Ｂ）が前記ケーシング（１１）の側壁に設けられ、前記ケーシング（１１）が天井に吊り下げられて設置される天吊り型である、請求項１〜３のいずれか１項に記載の室内機。
【請求項５】
前記ケーシング（１１）内において前記送風機（１３）と前記熱交換器（１２）との間に設けられた電装ユニット（８０）をさらに備え、
前記ケーシング（１１）は、金属製の天板（１９）を有し、
前記電装ユニット（８０）は、金属製のユニットケース（８１）を有し、
前記案内板（７０）は、金属製であり、案内板（７０）の下端部は前記ユニットケース（８１）に接続され、上端部は前記天板（１９）に接続されることにより、アースとして機能する、請求項１〜４のいずれか１項に記載の室内機。
【発明の詳細な説明】
【技術分野】
【０００１】
本発明は、複数の空気吹出口を有し、天井に設置される室内機に関する。
【背景技術】
【０００２】
従来、天井に吊り下げられる天吊り型、天井に埋め込まれる天井埋込型などのように天井に設置され、複数の空気吹出口を有する室内機が知られている。例えば特許文献１には、４方向に空気を吹き出し可能な天吊り型の室内機が開示されている。この特許文献１に開示されている室内機は、ケースと、このケース内に配置された熱交換器と、送風機とを備える。ケースは、直方体形状（平面視で矩形状）を有し、ケースの各辺（各側壁）には、側方に空気を吹き出すための空気吹出口が設けられている。
【先行技術文献】
【特許文献】
【０００３】
【特許文献１】特開平１０−１０３７０２号公報
【発明の概要】
【発明が解決しようとする課題】
【０００４】
ところで、特許文献１の室内機では、矩形状のケースにおける４つの角部のうちの一つには、熱交換器に接続される冷媒配管、ドレンポンプ、ドレン配管などが配置される配管スペースが設けられている。この配管スペースを覆うコーナカバーは、他の３つのコーナカバーに比べて必然的に大きくなる。
【０００５】
したがって、この室内機では、配管スペースを覆うコーナカバーに隣接する空気吹出口は、当該コーナカバーの制約を受けて他の空気吹出口よりも開口面積が小さくなる場合がある。この場合には、複数の空気吹出口の風量バランスがわるくなる。
【０００６】
また、４つの空気吹出口の開口面積が同じ場合でも、配管スペースには冷媒配管、ドレンポンプ、ドレン配管、仕切り板などの部材が配置されるので、これらの部材が空気流路の一部を塞ぐことによって当該コーナカバーに隣接する空気吹出口から吹き出される風量が他の空気吹出口から吹き出される風量よりも少なくなる場合がある。
【０００７】
本発明の目的は、複数の空気吹出口を有し、天井に設置される室内機において、複数の空気吹出口から吹き出される風量のバランスを改善することである。
【課題を解決するための手段】
【０００８】
本発明の室内機は、ケーシング（１１）と、送風機（１３）と、熱交換器（１２）と、案内板（７０）とを備える。前記ケーシング（１１）は、平面視で矩形状を有し、第１の辺に沿って延びる第１空気吹出口（１４Ａ）及び第２の辺に沿って延びる第２空気吹出口（１４Ｂ）を有し、天井に設置される。前記送風機（１３）は、上下方向に向く回転軸（Ｃ）を有し、室内の空気を前記ケーシング（１１）内に取り込んでその空気を前記第１空気吹出口（１４Ａ）及び第２空気吹出口（１４Ｂ）に送るためのものである。前記熱交換器（１２）は、前記送風機（１３）と第１空気吹出口（１４Ａ）及び第２空気吹出口（１４Ｂ）との間に設けられ、第１空気吹出口（１４Ａ）及び第２空気吹出口（１４Ｂ）に沿って延びる部位を有する。前記案内板（７０）は、前記送風機（１３）と、前記熱交換器（１２）における前記第１空気吹出口（１４Ａ）に沿う部分（１２Ａ）との間に設けられ、前記送風機（１３）から前記熱交換器（１２）に向けて送られる空気の一部を前記第１空気吹出口（１４Ａ）に案内する案内面（７４）を有する。
【０００９】
前記第１空気吹出口（１４Ａ）は、前記第２空気吹出口（１４Ｂ）よりも空気抵抗が大きい空気吹出口である。前記案内板（７０）は、前記送風機（１３）から前記熱交換器（１２）に向かう気流の上流側に位置する前縁（７１）と、前記気流の下流側に位置する後縁（７２）と、を有する。前記後縁（７２）と前記熱交換器（１２）との間には、隙間（Ｇ１）が設けられている。前記第１空気吹出口（１４Ａ）の延びる第１方向（Ｄ１）において、前記後縁（７２）は、前記第１空気吹出口（１４Ａ）における回転方向（Ｒ）側の第１側縁部（１４１）よりも内側に位置している。平面視において、前記第１方向（Ｄ１）に直交して前記回転軸（Ｃ）を通る直線（Ｌ２）と、前記回転軸（Ｃ）と前記第１側縁部（１４１）とを通る直線（Ｌ３）とを引いたとき、前記案内板（７０）は、これらの直線（Ｌ２）と直線（Ｌ３）とにより囲まれる範囲内に設けられ、且つ、前記第１方向（Ｄ１）に直交して前記回転軸（Ｃ）を通る前記直線（Ｌ２）よりも前記回転軸（Ｃ）と前記第１側縁部（１４１）とを通る前記直線（Ｌ３）寄りに配置されている。
【００１０】
この構成では、例えば第１空気吹出口（１４Ａ）の開口面積が第２空気吹出口（１４Ｂ）の開口面積よりも小さい構造や、例えば冷媒配管、ドレンポンプ、ドレン配管などの部材が第１空気吹出口（１４Ａ）につながる空気流路の一部を塞ぐ構造などように第１空気吹出口（１４Ａ）から吹き出される風量と第２空気吹出口（１４Ｂ）から吹き出される風量のバランスがわるくなる構造を有する場合であっても、上記のような案内板（７０）が設けられているので、第１空気吹出口（１４Ａ）から吹き出される風量と第２空気吹出口（１４Ｂ）から吹き出される風量のバランスを改善することができる。具体的には次の通りである。
【００１１】
案内板（７０）は、送風機（１３）と、熱交換器（１２）における第１空気吹出口（１４Ａ）に沿う部分（１２Ａ）との間に設けられている。そして、送風機（１３）から吹き出され、回転方向（Ｒ）の速度成分を有する気流の一部は、案内板（７０）に向かって流れ、この案内板（７０）に沿って後縁（７２）側に案内される。この後縁（７２）は、第１空気吹出口（１４Ａ）における回転方向（Ｒ）側の第１側縁部（１４１）よりも内側に位置しているので、案内板（７０）によって案内されて後縁（７２）を通過した気流の多くは、第１空気吹出口（１４Ａ）に向かって流れる。これにより、第１空気吹出口（１４Ａ）から吹き出される風量が増加する。
【００１２】
しかも、後縁（７２）と熱交換器（１２）との間には隙間（Ｇ１）が設けられているので、案内板（７０）における厚み方向の一方の面に沿って後縁（７２）側に流れる空気と、その反対側に位置する他方の面に沿って後縁（７２）側に流れる空気とが、前記隙間（Ｇ１）において合流することができる。したがって、本構成では、例えば後縁（７２）と熱交換器（１２）との間に隙間が設けられていない場合に比べて、熱交換器（１２）側に向かう空気の流れが円滑になるので、案内板（７０）と熱交換器（１２）との間において空気のよどみが生じたり、案内板（７０）と熱交換器（１２）との間の空間がデッドスペースになったりするのが抑制される。これにより、案内板（７０）を設けることに起因する抵抗の増大が抑制される。また、上記のように案内板（７０）における一方の面に沿って後縁（７２）側に流れる空気と他方の面に沿って後縁（７２）側に流れる空気との合流が前記隙間（Ｇ１）において促進されることによって、第１空気吹出口（１４Ａ）から吹き出される風量を効果的に増加させることができる。
【００１３】
以上のことから、本構成では、複数の空気吹出口を有し、天井に設置される室内機において、複数の空気吹出口から吹き出される風量のバランスを改善することができる。
【００１４】
前記室内機において、前記案内板（７０）は、前記前縁（７１）と前記後縁（７２）の間に位置し、前記送風機（１３）の回転方向（Ｒ）に凹む形状を有し、前記第１空気吹出口（１４Ａ）に空気を案内する案内面（７４）と、前記案内面（７４）の反対側の面であり、前記回転方向（Ｒ）に凸の形状を有する背面（７３）と、をさらに有するのが好ましい。
【００１５】
この構成では、案内面（７４）が回転方向（Ｒ）に凹む形状を有するので、この案内面（７４）に沿って流れる空気は、第１空気吹出口（１４Ａ）側にスムーズに向きが変えられる。したがって、案内板（７０）の案内面（７４）によって案内される空気をさらに効果的に第１空気吹出口（１４Ａ）に送ることができる。また、この構成では、回転方向（Ｒ）に凹む形状を有する案内面（７４）に沿って後縁（７２）側に流れる空気と、回転方向（Ｒ）に凸の形状を有する背面（７３）に沿って後縁（７２）側に流れる空気とが、隙間（Ｇ１）においてスムーズに合流する。
【００１６】
また、この構成では、案内面（７４）が回転方向（Ｒ）に凹む形状を有するので、案内面（７４）によって案内された空気が後縁（７２）を通過するときの向きを、熱交換器（１２Ａ）の延びる方向に直交する方向により近づけることも可能になる。このように気流の向きが熱交換器（１２）の延びる方向に直交する方向に近づけられると、空気が熱交換器（１２）を通過する際の抵抗が低減するので、送風機（１３）の入力（消費電力）を低減することができる。
【００１７】
また、案内板（７０）の案内面（７４）が送風機（１３）の回転方向（Ｒ）に凹む形状を有する場合において、平面視で前記案内板（７０）における後縁（７２）から前記第１空気吹出口（１４Ａ）側に延長した延長線（Ｅ）は、前記第１空気吹出口（１４Ａ）の第１側縁部（１４１）よりも内側に位置しているのが好ましい。
【００１８】
案内板（７０）に沿って後縁（７２）側に流れる空気は、案内板（７０）によって方向付けられるので、後縁（７２）を通過した後、前記延長線（Ｅ）に沿う方向に流れやすい。この構成では、延長線（Ｅ）は、第１空気吹出口（１４Ａ）の第１側縁部（１４１）よりも内側に位置しているので、案内板（７０）によって案内される空気をさらに効果的に第１空気吹出口（１４Ａ）に送ることができる。
【００１９】
前記室内機において、前記第１空気吹出口（１４Ａ）及び第２空気吹出口（１４Ｂ）が前記ケースの側壁に設けられており、前記ケースが天井に吊り下げられて設置され、前記第１空気吹出口（１４Ａ）及び第２空気吹出口（１４Ｂ）から側方に空気が吹き出される天吊り型であるのが好ましい。
【００２０】
天井埋め込み型の室内機と天吊り型の室内機とを比較すると、前者では、送風機（１３）から側方の熱交換器（１２）に向けて送られる空気は、熱交換器（１２）を通過した後、ケース内において下方に向きを変え、ケースの下面（化粧面）に設けられた空気吹出口から室内に吹き出される。したがって、空気が熱交換器（１２）を通過した後の下方に向かって空気吹出口に至るまでの間に、周囲の空気といくらか混合されるので、複数の空気吹出口から吹き出される風量のばらつきは、天吊り型の室内機に比べて小さくなりやすい。一方、後者の天吊り型の室内機では、第１空気吹出口（１４Ａ）及び第２空気吹出口（１４Ｂ）がケースの側壁に設けられており、第１空気吹出口（１４Ａ）及び第２空気吹出口（１４Ｂ）から側方に空気が吹き出される構造を有するので、熱交換器（１２）を通過した空気は、周囲の空気とあまり混合されないまま空気吹出口から吹き出される。したがって、天吊り型の室内機は、天井埋め込み型の室内機に比べて風量のばらつきが大きくなりやすいので、上述した案内板（７０）を設けることによるより大きな効果が期待できる。
【００２１】
前記室内機は、前記ケース内において前記送風機（１３）と前記熱交換器（１２）との間に設けられた電装ユニット（８０）をさらに備え、前記ケースは、金属製の天板（１９）を有し、前記電装ユニット（８０）は、金属製のユニットケース（８１）を有し、前記案内板（７０）は、金属製であり、案内板（７０）の下端部は前記ユニットケース（８１）に接続され、上端部は前記天板（１９）に接続されることにより、アースとして機能するのが好ましい。
【００２２】
この構成では、案内板（７０）は、空気を第１空気吹出口（１４Ａ）に案内して風量バランスを改善する機能だけでなく、アースとしての機能も果たす。したがって、アース用の部材を別途設ける必要がなくなり、部品点数の低減を図ることができる。
【発明の効果】
【００２３】
本発明によれば、複数の空気吹出口を有し、天井に設置される室内機において、複数の空気吹出口から吹き出される風量のバランスを改善することができる。
【図面の簡単な説明】
【００２４】
【図１】本発明の一実施形態に係る室内機を示す斜視図である。
【図２】図１に示す室内機において化粧板を除いた状態の底面図である。
【図３】図１に示す室内機において天板を除いた状態の平面図である。
【図４】図３のＩＶ−ＩＶ線の位置で室内機を切断したときの断面図である。
【図５】案内板と、電装ユニット及び天板との位置関係を示す斜視図である。
【図６】案内板と、送風機、熱交換器及び空気吹出口との位置関係を示す斜視図である。
【図７】案内板と、送風機、熱交換器及び空気吹出口との位置関係を示す概略図である。
【図８】案内板の変形例を示す概略図である。
【発明を実施するための形態】
【００２５】
以下、本発明の一実施形態に係る室内機１０について図面を参照して詳細に説明する。
【００２６】
＜室内機の全体構造＞
図１及び図２に示すように、本実施形態に係る室内機１０は、天井面Ｔ（図２参照）に吊り下げられて設置される天吊り型の室内機である。室内機１０は、直方体形状のケーシング１１と、ケーシング１１内において環状に配置された熱交換器１２と、熱交換器１２の内側に配置された送風機１３と、熱交換器１２の下方に設けられたドレンパン２４と、各種制御を行う電子部品が搭載された電装ユニット８０と、案内板７０とを備える。
【００２７】
ケーシング１１は、平面視で矩形状（本実施形態では正方形）を有する。ケーシング１１の４つの側壁のそれぞれには空気吹出口１４（１４Ａ〜１４Ｄ）が設けられている。４つの空気吹出口１４は、ケーシング１１の４つの辺にそれぞれ沿って延びている。
【００２８】
ケーシング１１は、吸込グリル１７を有する化粧板１６と、天板１９と、これらの間に位置する４つのコーナカバー４０（４１〜４４）と、隣り合うコーナカバー４０の間において水平方向に延びる４つの上部化粧枠９と、隣り合うコーナカバー４０の間において水平方向に延びる４つの下部化粧枠１５とを含む。天板１９は、板金を加工することにより形成されている。
【００２９】
各空気吹出口１４は、ケーシング１１を構成する部材によって形状及び大きさが区画される開口部である。具体的に、本実施形態では、各空気吹出口１４は、その両サイドに位置するコーナカバー４０、上部化粧枠９及び下部化粧枠１５により区画される略矩形状の開口部である。各空気吹出口１４は、上下方向の開口寸法よりも水平方向の開口寸法の方が長い横長の形状を有する。例えば、第１空気吹出口１４Ａにおける水平方向両側の側縁部のうち、第１側縁部１４１は、第４コーナカバー４４の側端部により区画されており、第２側縁部１４２は、第１コーナカバー４１の側端部により区画されている。
【００３０】
なお、これらの側縁部１４１，１４２は、必ずしもコーナカバーの側端部によって区画されていなくてもよい。側縁部１４１，１４２は、例えば、上部化粧枠９と下部化粧枠１５を両サイドにおいてそれぞれ上下方向につなぐ図略の一対の側部化粧枠によって区画されていてもよい。
【００３１】
図１に示すように、各空気吹出口１４には、空気の吹き出し方向を調節するルーバー（風向板）２９が設けられている。各ルーバー２９は、対応する空気吹出口１４の長手方向に沿って延びる横長の形状を有する。各ルーバー２９は、モータＭ（図３参照）に接続されており、このモータＭによって回動し、所望の角度に調節される。
【００３２】
ケーシング１１内の４つの角部のうちの第１角部には、配管スペースＳ１が設けられている。この配管スペースＳ１は、送風機１３が設けられている空間に対して仕切板６１によって区画されている（図３参照）。配管スペースＳ１は、室内機１０の外部からの図略の冷媒配管を熱交換器１２に接続するための接続部と、その接続作業を行うための作業スペースとを含む。配管スペースＳ１には、冷媒配管５４、ドレンポンプ５１、図略のドレン配管、ケーシング１１を天井に吊り下げるための吊りボルトが取り付けられる吊り金具５２などが配置されている。熱交換器１２の両端部における管板２ａ，２ｂは、配管スペースＳ１の近傍に配置されている。
【００３３】
ケーシング１１内の他の３つの角部、すなわち第２角部、第３角部及び第４角部には、熱交換器１２が設けられている空間に対して断熱材５３によって区画されたスペースＳ２，Ｓ３，Ｓ４がそれぞれ形成されている。これらのスペースＳ２，Ｓ３，Ｓ４のそれぞれにも吊り金具５２が配置されている。
【００３４】
配管スペースＳ１に配置される冷媒配管５４、ドレン配管５６、吊り金具５２などの部材は、化粧枠１５に対して着脱自在な第１コーナカバー４１によって覆われている。配管スペースＳ１の隣の角に位置するスペースＳ２に配置される吊り金具５２などの部材は、第２コーナカバー４２によって覆われている。同様に、スペースＳ３に配置される吊り金具５２などの部材は、第３コーナカバー４３によって覆われており、スペースＳ４に配置される吊り金具５２などの部材は、第４コーナカバー４４によって覆われている。
【００３５】
第１コーナカバー４１の大きさは、配管スペースＳ１に配置された部材の一部又は全部を外側から覆うことができるサイズである。なお、本実施形態では、この第１コーナカバー４１の対角に位置する第３コーナカバー４３の大きさを、第１コーナカバー４１と同じ大きさにすることにより、４つの空気吹出口１４を同じ開口面積としている。すなわち、第１コーナカバー４１及び第３コーナカバー４３のサイズは、第２コーナカバー４２及び第４コーナカバー４４のサイズよりも大きい。
【００３６】
しかし、上述したように、配管スペースＳ１には、冷媒配管５４、ドレンポンプ５１、図略のドレン配管などの部材が配置されるとともに、送風機１３が設けられている空間に対して仕切板６１，６２によって区画されている。仕切板６２は、第２空気吹出口１４Ｂにおける配管スペースＳ１側の側縁部付近から第１空気吹出口１４Ａにおける配管スペースＳ１側の側縁部１４２付近まで配設されている。
【００３７】
仕切板６１は、仕切板６２に一体に形成されている。仕切板６１は、第１空気吹出口１４Ａにおける配管スペースＳ１側の側縁部（第２側縁部）１４２よりも第１側縁部１４１側に延びている。この仕切板６１の内側には、熱交換器１２は設けられていない。また、配管スペースＳ１の近傍に配置されている熱交換器１２の管板２ａ，２ｂ同士の間には、隙間が設けられている。この隙間は仕切板６１の内側に位置している。
【００３８】
第１空気吹出口１４Ａに向かう空気流路の一部は、仕切板６１によって塞がれている。これにより、第１空気吹出口１４Ａに向かう空気が受ける抵抗は、他の空気吹出口１４Ｂ〜１４Ｄにそれぞれ向かう空気が受ける抵抗よりも大きくなる。案内板７０が設けられていない場合には、第１空気吹出口１４Ａから吹き出される風量は、他の空気吹出口１４Ｂ〜１４Ｄから吹き出される風量よりも小さくなる。したがって、第１コーナカバー４１に隣接する第１空気吹出口１４Ａから吹き出される風量は、他の空気吹出口から吹き出される風量よりも少なくなりやすい。
【００３９】
そこで、本実施形態では、送風機１３から熱交換器１２に向けて送られる空気を第１空気吹出口１４Ａに案内する案内板７０が設けられている。本実施形態では、案内板７０が設けられているので、案内板７０がない場合には第４空気吹出口１４Ｄに向かうはずの空気の一部が案内板７０によって第１空気吹出口１４Ａに案内される。これにより、第１空気吹出口１４Ａから吹き出される風量が増加するので、風量のばらつきが低減される。この案内板７０の詳細については後述する。
【００４０】
吸込グリル１７と送風機１３との間には、フィルター１８が配置されている。ケーシング１１の４つの側壁には空気吹出口１４がそれぞれ設けられている。各上部化粧枠９は、対応する空気吹出口１４の上方に設けられており、各下部化粧枠１５は、対応する空気吹出口１４の下方に設けられている。上部化粧枠９の内側には、上部化粧枠９及びこれに続く天板１９に沿って断熱材５７が配置されている。断熱材５７は、例えば発泡ポリスチレンなどの発泡樹脂により形成されている。
【００４１】
熱交換器１２としては、例えば、互いに平行に配置された複数本の伝熱管に対して多数の板状フィンを直交する状態で取り付けたクロスフィンタイプを用いることができるが、これに限定されない。熱交換器１２は、冷房運転時には蒸発器として機能し、暖房運転時には凝縮器として機能する。
【００４２】
この熱交換器１２は、図２に示すように、送風機１３を取り囲む形状を有する。具体的には、この熱交換器１２は、４つの空気吹出口１４に沿って延びている。また、この熱交換器１２は、その一方側の端部が、前記角部の近傍に設置されたドレンポンプ５１と干渉しないように、送風機１３側（図２では下側）へ折れ曲がった形状を有する。
【００４３】
ドレンパン２４は、熱交換器１２において生じるドレン水を回収する。ドレンパン２４は、例えば発泡ポリスチレンなどの発泡樹脂により形成されている。ドレンパン２４は、熱交換器１２の直下に位置してドレン水を一時的に収容可能な収容部２４ｂと、この収容部２４ｂよりも空気吹出口１４側に位置し、空気吹出口１４の下縁部の一部を構成する側端部２４ａとを含む。側端部２４ａは、下部化粧枠１５の内側（上側）に設けられている。
【００４４】
送風機１３としては、例えば遠心送風機（ターボファン）、斜流送風機などを用いることができる。送風機１３は、円形のハブ２１と、中央部に空気導入開口を有する円形のシュラウド２２と、ハブ２１とシュラウド２２の間に保持された複数の羽根２３とを含む羽根車を備える。送風機１３のハブ２１には、ファンモータ２６の回転軸が接続されている。シュラウド２２の下側には、送風機１３へ室内空気を案内するためのベルマウス２０が設けられている。このベルマウス２０は、中央部にシュラウド２２の開口よりも僅かに小さい開口を有している。送風機１３の羽根車が回転すると、室内の空気は、化粧板１６の吸込グリル１７からケーシング１１内に吸い込まれ、熱交換器１２を通過した後、各空気吹出口１４から側方に吹き出される。
【００４５】
電装ユニット８０は、ケーシング１１内において送風機１３と熱交換器１２との間に設けられている。電装ユニット８０は、各種制御を行う電子部品が実装されたプリント基板などを収容するユニットケース８１を備える。ユニットケース８１は、板金を加工することにより形成されている。
【００４６】
＜案内板＞
案内板７０は、送風機１３から熱交換器１２に向けて送られる空気の一部を第１空気吹出口１４Ａに案内するためのものである。図３〜図６に示すように、案内板７０は、このユニットケース８１と天板１９との間で、かつ、送風機１３と熱交換器１２における第１空気吹出口１４Ａに沿う部分１２Ａとの間に設けられている。
【００４７】
案内板７０は、送風機１３から熱交換器１２に向かう気流の上流側に位置する前縁７１と、気流の下流側に位置する後縁７２と、前縁７１と後縁７２の間に位置し、送風機１３の回転方向Ｒに向く背面７３と、背面７３の裏面であり、第１空気吹出口１４Ａに空気を案内する案内面７４とを有する。本実施形態では、背面７３及び案内面７４は、送風機１３の回転軸に平行な方向に延びているが、これに限定されず、回転軸に対して傾斜していてもよい。
【００４８】
案内板７０の案内面７４は、送風機１３の回転方向Ｒに凹む形状を有し、背面７３は、回転方向Ｒに凸の形状を有する。本実施形態では、案内板７０は、板金を加工して形成されており、後述する図８に示すような湾曲加工ではなく、加工しやすさの観点から、図３及び図７に示すように２箇所で折り曲げ加工することによって案内面７４が回転方向Ｒに凹む形状を形成している。
【００４９】
案内板７０の下縁部はユニットケース８１の上面８１ａに接続され、上縁部は天板１９の下面に接続されている。具体的に、案内板７０の上縁部には、案内板７０を天板１９に固定するための２つの折り曲げ片７５，７７が設けられている。
【００５０】
折り曲げ片７７は、案内板７０の上縁部の前縁７１寄りの位置から案内面７４側に突出している。折り曲げ片７５は、案内板７０の上縁部の後縁７２寄りの位置から背面７３側に突出している。図７に示すように、折り曲げ片７７には、長孔７７ａが形成されており、折り曲げ片７５には、孔７５ａが形成されている。これらの長孔７７ａ及び孔７５ａに挿通されるビスによって案内板７０は天板１９に固定される。なお、折り曲げ片７７が長孔７７ａを有するので、この長孔７７ａの開口寸法の範囲内で案内板７０の位置を微調整することができる。図７に示すように、折り曲げ片７７の長孔７７ａは、折り曲げ片７５の孔７５ａを中心とする円弧に沿う方向又はこの方向に近い方向に延びている。
【００５１】
案内板７０の下縁部には、案内板７０を電装ユニット８０のユニットケース８１に固定するための折り曲げ片７６が設けられている。折り曲げ片７６には、孔７６ａが形成されている。この孔７６ａに挿通されるビスによって案内板７０はユニットケース８１に固定される。
【００５２】
案内板７０は、上記のように電装ユニット８０と天板１９に接続されているので、空気を案内する機能だけでなく、電装ユニット８０と天板１９との間のアース経路としても機能している。
【００５３】
後縁７２と熱交換器１２との間には、隙間Ｇ１が設けられている。したがって、図７に示すように、案内面７４に沿って後縁７２側に流れる空気と、背面７３に沿って後縁７２側に流れる空気とが、隙間Ｇ１において合流することが可能になる。したがって、背面７３に沿って後縁７２側に向かう空気の流れが円滑になり、背面７３と熱交換器１２との間において空気のよどみが生じたり、背面７３と熱交換器１２との間の空間がデッドスペースになったりするのが抑制される。これにより、案内板７０を設けることに起因する抵抗の増大が抑制される。また、上記のように案内面７４に沿って後縁７２側に流れる空気と背面７３に沿って後縁７２側に流れる空気との合流が隙間Ｇ１において促進されることによって、第１空気吹出口１４Ａから吹き出される風量をより効果的に増加させることができる。
【００５４】
また、前縁７１と送風機１３との間には、隙間Ｇ２が設けられている。この隙間Ｇ２は、送風機１３の羽根車が回転する際に風切り音などが生じるのを抑制できる程度に設定される。
【００５５】
図３及び図７に示すように、第１空気吹出口１４Ａの延びる方向Ｄ１（ケーシング１１の第１の辺が延びる方向）において、後縁７２は、第１空気吹出口１４Ａにおける回転方向Ｒ側の第１側縁部１４１よりも内側に位置している。具体的に、図７に示す平面図において、方向Ｄ１に直交し、第１側縁部１４１を通る直線Ｌ１を引いたときに、後縁７２は、この直線Ｌ１よりも内側、すなわち第１側縁部１４１の反対側の第２側縁部１４２側（空気吹出口１４Ａの中心側）に位置している（図３参照）。前縁７１は、方向Ｄ１において後縁７２よりも内側（空気吹出口１４Ａの中心側）に位置している。
【００５６】
また、図７に示す平面図において、案内面７４を後縁７２から第１空気吹出口１４Ａ側に延長した延長線Ｅは、第１空気吹出口１４Ａの第１側縁部１４１よりも内側（空気吹出口１４Ａの中心側）に位置している。本実施形態では、上述したように案内板７０は板金を折り曲げ加工して形成したものであるので、延長線Ｅは、図７に示すように直線となる。
【００５７】
さらに、図７に示すように、方向Ｄ１に直交し、送風機１３の回転軸Ｃを通る直線Ｌ２と、回転軸Ｃと第１側縁部１４１を通る直線Ｌ３とを引いたとき、案内板７０は、直線Ｌ２と直線Ｌ３とにより囲まれる範囲内に設けられている。これにより、案内板７０は、空気を第１空気吹出口１４Ａにより効果的に案内できる。
【００５８】
本実施形態の案内板７０は、送風機１３の空気の吹き出し方向に対して所定の迎え角（例えば数度から十数度程度）がつけられている。そして、前縁７１から後縁７２にかけて気流の剥離が生じにくくなる程度に案内面７４が回転方向Ｒに凹むように湾曲又は屈曲している。送風機１３の空気の吹き出し角度は、例えば２０〜４０度程度に設定されている。この吹き出し角度とは、平面視で円形の羽根車の接線方向に対して吹き出し気流の方向がなす角度である。
【００５９】
以上説明したように、本実施形態では、上記のような案内板７０が設けられているので、第１空気吹出口１４Ａから吹き出される風量と第２空気吹出口１４Ｂから吹き出される風量のバランスを改善することができる。
【００６０】
案内板７０は、送風機１３と、熱交換器１２における第１空気吹出口１４Ａに沿う部分１２Ａとの間に設けられている。そして、案内板７０の案内面７４は送風機１３の回転方向Ｒとは反対の方向を向いているので、送風機１３から吹き出され、回転方向Ｒの速度成分を有する気流の一部は、案内板７０の案内面７４に向かって流れ、この案内面７４によって案内板７０の後縁７２側に案内される。そして、この後縁７２は、第１空気吹出口１４Ａにおける回転方向Ｒ側の第１側縁部１４１よりも内側に位置しているので、案内板７０の案内面７４によって案内され、後縁７２を通過した気流の多くは、第１空気吹出口１４Ａに向かって流れる。これにより、第１空気吹出口１４Ａから吹き出される風量が増加する。
【００６１】
しかも、後縁７２と熱交換器１２との間には隙間Ｇ１が設けられているので、案内面７４に沿って後縁７２側に流れる空気と、背面７３に沿って後縁７２側に流れる空気とが、隙間Ｇ１において合流することができる。したがって、案内板７０の後縁７２と熱交換器１２とがつながっている場合に比べて、背面７３に沿って後縁７２側に向かう空気の流れが円滑になり、背面７３と熱交換器１２との間において空気のよどみが生じたり、背面７３と熱交換器１２との間の空間がデッドスペースになったりするのが抑制される。これにより、案内板７０を設けることに起因する抵抗の増大が抑制される。また、上記のように案内面７４に沿って後縁７２側に流れる空気と背面７３に沿って後縁７２側に流れる空気との合流が隙間Ｇ１において促進されることによって、第１空気吹出口１４Ａから吹き出される風量をより効果的に増加させることができる。
【００６２】
また、本実施形態では、案内面７４は、送風機１３の回転方向Ｒに凹む形状を有する。したがって、回転方向Ｒに凹む形状を有する案内面７４に沿って流れる空気は、後縁７２側に向かうにつれて熱交換器１２の延びる方向及び第１空気吹出口１４Ａの延びる方向Ｄ１に直交する方向により近づけられる。したがって、案内板７０の案内面７４によって案内される空気をさらに効果的に第１空気吹出口１４Ａに送ることができる。しかも、案内面７４に沿って流れる空気が熱交換器１２の延びる方向に直交する方向に近づけられると、空気が熱交換器１２を通過する際の抵抗が低減するので、送風機１３の入力（消費電力）を低減することができる。
【００６３】
また、本実施形態では、案内板７０の案内面７４が送風機１３の回転方向Ｒに凹む形状を有する場合において、平面視で案内面７４を後縁７２から第１空気吹出口１４Ａ側に延長した延長線Ｅは、第１空気吹出口１４Ａの第１側縁部１４１よりも内側に位置している。したがって、回転方向Ｒに凹む形状を有する案内面７４に沿って後縁７２側に流れる空気は、案内面７４の凹形状によって方向付けられるので、後縁７２を通過した後、延長線Ｅに沿う方向に流れやすい。この構成では、延長線Ｅは、第１空気吹出口１４Ａの第１側縁部１４１よりも内側に位置しているので、案内面７４によって案内される空気をさらに効果的に第１空気吹出口１４Ａに送ることができる。
【００６４】
また、本実施形態では、第１空気吹出口１４Ａ及び第２空気吹出口１４Ｂがケーシング１１の側壁に設けられており、ケーシング１１が天井に吊り下げられて設置され、第１空気吹出口１４Ａ及び第２空気吹出口１４Ｂから側方に空気が吹き出される天吊り型である。天井埋め込み型の室内機と天吊り型の室内機とを比較すると、前者では、送風機１３から側方の熱交換器１２に向けて送られる空気は、熱交換器１２を通過した後、ケース内において下方に向きを変え、ケースの下面（化粧面）に設けられた空気吹出口から室内に吹き出される。したがって、空気が熱交換器１２を通過した後の下方に向かって空気吹出口に至るまでの間に、周囲の空気といくらか混合されるので、複数の空気吹出口から吹き出される風量のばらつきは、天吊り型の室内機に比べて小さくなりやすい。一方、後者の天吊り型の室内機では、第１空気吹出口１４Ａ及び第２空気吹出口１４Ｂがケーシング１１の側壁に設けられており、第１空気吹出口１４Ａ及び第２空気吹出口１４Ｂから側方に空気が吹き出される構造を有するので、熱交換器１２を通過した空気は、周囲の空気とあまり混合されないまま空気吹出口から吹き出される。したがって、天吊り型の室内機は、天井埋め込み型の室内機に比べて風量のばらつきが大きくなりやすいので、上述した案内板７０を設けることによるより大きな効果が期待できる。
【００６５】
また、本実施形態では、案内板７０は、空気を第１空気吹出口１４Ａに案内して風量バランスを改善する機能だけでなく、アースとしての機能も果たす。したがって、アース用の部材を別途設ける必要がなくなり、部品点数の低減を図ることができる。
【００６６】
なお、本発明は、前記実施形態に限られるものではなく、その趣旨を逸脱しない範囲で種々変更、改良等が可能である。
【００６７】
例えば、前記実施形態では、案内板７０が板金を２箇所で折り曲げ加工して形成されている場合を例示したが、これに限定されない。例えば図８に示す変形例ように、案内板７０は、平面視で湾曲した形状であってもよい。この変形例では、案内面７４は、回転方向Ｒに凹む湾曲面であり、背面７３は、回転方向Ｒに凸の湾曲面である。そして、案内面７４を後縁７２から第１空気吹出口１４Ａ側に延長した延長線Ｅは、後縁７２における接線である。
【００６８】
前記実施形態では、４つの空気吹出口を有する天吊り型の室内機を例に挙げて説明したが、本発明は、２つ又は３つの空気吹出口を有する天吊り型の室内機にも適用可能であり、また、下面（化粧面）に２つ、３つ又は４つの空気吹出口を有する天井埋込型の室内機にも適用可能である。
【００６９】
また、前記実施形態では、案内面７４が送風機１３の回転方向Ｒに凹む形状を有する場合を例示したが、これに限定されない。案内面７４は、例えば平面などであってもよい。
【００７０】
また、前記実施形態では、平面視で案内面７４の延長線Ｅが第１空気吹出口１４Ａの第１側縁部１４１よりも内側に位置している場合を例示したが、これに限定されない。
【００７１】
また、前記実施形態では、案内板７０がアースとして機能する場合を例示したが、この機能は、必須のものではない。
【００７２】
また、前記実施形態では、第１空気吹出口１４Ａに向かう空気流路の一部が仕切板６１によって塞がれることに起因する風量ばらつきを改善するために、第１空気吹出口１４Ａに空気を案内する案内板７０を設ける場合を例に挙げて説明したが、これに限定されない。例えば、複数の空気吹出口の一部が他の空気吹出口よりも開口面積が小さいことに起因する風量ばらつきを改善するために案内板７０を設けてもよい。この場合、案内板７０は、他よりも開口面積が小さい空気吹出口１４に対向する位置に、図７、図８などを参照して説明したように配置される。
【符号の説明】
【００７３】
１０  室内機
１１  ケース
１２  熱交換器
１３  送風機
１４  空気吹出口
１４Ａ  第１空気吹出口
１４Ｂ  第２空気吹出口
１４Ｃ  第３空気吹出口
１４Ｄ  第４空気吹出口
１９  天板
７０  案内板
７１  前縁
７２  後縁
７３  背面
７４  案内面
８０  電装ユニット
８１  ユニットケース
Ｄ１  第１空気吹出口の延びる方向
Ｅ  延長線
Ｇ１  後縁と熱交換器との間の隙間
Ｒ  送風機の回転方向
【図７】
0005720600.tif 000002
【図１】
0005720600.tif 000003
【図２】
0005720600.tif 000004
【図３】
0005720600.tif 000005
【図４】
0005720600.tif 000006
【図５】
0005720600.tif 000007
【図６】
0005720600.tif 000008
【図８】
0005720600.tif 000009